【事件の表示】
　特願２０００−２４０６９３「パチンコゲーム機」拒絶査定不服審判事件〔平成１３年　３月１３日出願公開、特開２００１−　６２０９３〕について、次のとおり審決する。
【結　論】
　本件審判の請求は、成り立たない。
【理　由】
１．手続の経緯・本願発明
　本件出願は、平成５年１２月１４日に出願した特願平５−３１３６７６号の一部を平成１２年８月９日に新たな特許出願としたものであって、その請求項１乃至４に係る発明は、平成１７年３月１８日付けの手続補正書により補正された明細書および図面の記載からみて、その特許請求の範囲の請求項１乃至４に記載されたとおりのものと認められるところ、その請求項１に係る発明（以下、「本願発明」という。）は、その特許請求の範囲の請求項１に記載された次の事項により特定されるとおりのものと認める。
　
「遊技媒体がはいったときに特定の入賞条件を満たすときに特定の入賞状態とする複数の入賞部と、
　前記複数の入賞部に対応して設けられ、前記入賞部が特定の入賞条件を満たすことを示す特定表示として図柄の表示を行なう特定表示部と、
　前記特定表示部に対して前記特定表示の表示制御を行なう特定表示制御部とを有し、
　前記特定表示制御部は、動作開始信号があると前記特定表示部の各々に図柄を回転表示し、動作停止信号があると停止状態の図柄を表示させるように制御することを特徴とするパチンコゲーム機。」
　　
２．引用例
　これに対して、原査定の拒絶の理由に引用され本件出願前に日本国内において頒布された刊行物である特開昭６４−４９５８８号公報（以下「引用例１」という。）には、図面とともに、
　▽記載事項１：「遊技盤面に設けた特定入賞口への入賞その他の条件が達成されたとき一定時間遊技者に有利な開成状態となる変動入賞装置を備えたパチンコ遊技機において、前記遊技盤面上の複数の特定入賞領域に対応した位置に表示器を配置し、前記変動入賞装置が前記開成状態となっているとき、前記遊技盤面上に打ち出された遊技球が、前記複数の特定入賞領域のいずれかに対応する表示器が所定の表示動作をしている間に当該特定入賞領域を通った場合には、前記変動入賞装置を所定の条件下で開成する動作の終了後再び該動作を行なうように構成したことを特徴とするパチンコ遊技機。」（特許請求の範囲、請求項１）、
　▽記載事項２：「前記複数の特定入賞領域は前記変動入賞装置内に設けられた複数個の入賞口で構成され、前記表示器は該入賞口の各々に対応する位置に配置された複数個の表示素子から成り、各表示素子を所定時間ずつ順次又はランダムに作動させることにより、対応する入賞口が前記変動入賞装置を所定の条件下で開成する動作の終了後再び該動作を行なわせる入賞領域となっていることを表示する特許請求の範囲第１項記載のパチンコ遊技機。」（特許請求の範囲、請求項２）、
　▽記載事項３：「本発明のパチンコ遊技機において、変動入賞装置は特定入賞口への入賞等により開成状態となるが、その開成動作には、開き続ける場合（開放）だけでなく、所定時間開いたら次に閉じてまた開くという開閉繰返し動作も含まれる。このような開成動作中、複数の特定入賞領域は、各々に対応する表示器が所定の表示動作をしている間だけＶゾーンとなり、それ以外は通常の入賞領域として機能する。換言すれば、変動入賞装置が上記の開成状態となっていて打球が特定入賞領域に入賞しても、対応する表示器が所定の表示動作をしていなければ通常の入賞となり、Ｖ継続条件は達成されない。従って、例えば変動入賞装置内に設けた複数の入賞口を適宜Ｖゾーンとして利用することができる。また、特定入賞領域がＶゾーンである間、対応する表示器が所定の表示動作をすることにより、遊技者はＶゾーンを認識できる。このようなＶゾーンに打球が入賞した場合には、変動入賞装置を上記のように所定の条件下で開成する動作の終了後再び該動作を行なうことにより、Ｖ継続状態となる。」（第２頁左欄下段第１７行〜同頁右欄下段第１７行）、
　▽記載事項４：「第１図・・・のパチンコ機ｌの遊技盤面２には、・・・チューリップ３Ｌ、３Ｒ及び一般の入賞口４Ｌ、４Ｒが・・・配設されると共に、特定入賞口５Ｌ、５Ｒ及び５Ｃが・・・配設されている。遊技盤面２・・・には、可変表示装置６及び変動入賞装置７が・・・設けられている。特定入賞口５Ｌ、５Ｒ及び５Ｃは可変表示装置６を始動させるためのスタート孔であり、これに打球が入ると、・・・特定入賞球検出器８（第５図）がその打球（特定入賞球）を検出し、可変表示装置６を作動させるようになっている。」（第２頁右欄下段第１９行〜第３頁左欄上段第１２行）、
　▽記載事項５：「可変表示装置６は、・・・、第２図に示すように、数字を可変表示する７セグメント発光ダイオード（ＬＥＤ）から成る表示器２３Ｌ、２３Ｒを配置すると共に、・・・円筒形のリール２５を・・・配置することにより構成される。」（第３頁右欄上段第１２〜２０行）、
　▽記載事項６：「変動入賞装置７は、第４図に示すように・・・横長長方形の開口３２の正面側に、はぼ同形のプレート３３を開閉自在に取り付けることで形成された所謂アタッカである。その開口３２内の下部には、３つの入賞口３４Ｌ、３４Ｃ、３４Ｒが設けられると共に、各入賞口に入った打球を検出する入賞球検出器３５Ｌ、３５Ｃ、３５Ｒが配置されている。・・・。一方、３つの入賞口３４Ｌ、３４Ｃ、３４Ｒの各々と対応する部位（この場合、各入賞口の真上）には、・・・Ｖゾーンを表示するために所定時間作動する表示素子として、３個のランプ３６Ｌ、３６Ｃ、３６Ｒが配置されている。
　プレート３３は、・・・、通常は第４図（Ａ）のように閉じて入賞口３４を塞いでいるが、・・・アタッカ開成信号により・・・、第４図（Ａ）の閉じた状態から同図（Ｂ）のように開いた位置まで回動し、入賞口３４への入賞を可能にする。すなわちアタッカを遊技者に有利な開成状態とする。」（第３頁左欄下段第１０行〜同頁右欄下段第１５行）、
　▽記載事項７：「可変表示装置６及び変動入賞装置７は、第５図に示す制御手段４０によって制御される。この制御手段４０は、・・・特定入賞球検出器８、停止スイッチ１５、及び変動入賞装置（アタッカ）７の入賞球検出器３５からの信号を入力とし、各々の入力信号に応じて、・・・７セグメント表示器２３Ｌ、２３Ｒ及び回転リール駆動部２６と・・・駆動モータ３７の作動を制御する信号を出力する一方、変動入賞装置７のランプ３６Ｌ、３６Ｃ、３６Ｒの点灯を制御する信号を出力する機能を有する。
　この制御手段４０は、次の構成要素から成る。
（１）・・・７セグメント表示器２３Ｌ、２３Ｒ及び回転リール駆動部２６を始動させ、・・・、特定の表示パターン（・・・）にて停止した時は、アタッカのプレート３３を一定時間（例えば２０秒間）開くためのアタッカ開成信号と、アタッカのランプ３６Ｌ、３６Ｃ、３６Ｒを作動させるための表示指令信号とを出力する可変表示器制御部４１、
（２）上記制御部４１から出力される表示指令信号に応じてアタッカのランプ３６Ｌ、３６Ｃ、３６Ｒをそれぞれ所定時間ずつ順次又はランダムに点灯させる表示素子制御回路４２、
（３）上記表示素子制御回路４２がランプ３６Ｌ、３６Ｃ又は３６Ｒを点灯している間に、対応する入賞球検出器３５Ｌ、３５Ｃ又は３５Ｒが検出信号を発生したかどうかを判定し、点灯中のランプに対応する入賞球検出器が検出信号を発生した場合は、アタッカのプレート３３を閉成後再び開くためのアタッカ開成信号を出力する判定回路４３、
（４）上記判定回路４３からのアタッカ開成信号を所定時間遅延させる遅延回路４４、
（５）・・・、プレート３３を閉じるためのアタッカ閉成信号を出力するカウンタ４５、及び
（６）上記可変表示器制御部４１又は遅延回路４４からのアタッカ開成信号に応じて、プレート３３を開く方向にモータ３７を駆動する信号を出力する一方、カウンタ４５からのアタッ力閉成信号に応じてプレート３３を閉じる方向にモータ３７を駆動する信号を出力するモータ駆動回路４６。」（第３頁右欄下段第１９行〜第４頁左欄下段第１３行）、
　▽記載事項８：「表示素子制御回路４２は、例えば第６図に示すように、３個のランプ３６Ｌ、３６Ｃ、３６Ｒに対し、それぞれ所定の周期（例えば３秒間）で順次点灯と消灯を繰り返す駆動信号を出力する。図では、ランプ３６Ｌ、３６Ｃ、３６Ｒをそれぞれランプ１、２、３と表記している。この場合、各ランプ３６Ｌ、３６Ｃ、３６Ｒの点灯時間は互いに重複しないように予め設定され（例えば１秒間ずつ）、その点灯時間中、対応する入賞口３４Ｌ、３４Ｃ、３４Ｒは・・・Ｖ継続条件を与えるＶゾーンとなっている。なお、各ランプ３６Ｌ、３６Ｃ、３６Ｒの点灯は、周期的且つ一定の順序で行わなくてもよく、それぞれ異なる時間でランダムに点灯させるようにしてもよい。
　また、制御手段４０において遅延回路４４を設けたのは、次の理由による。すなわち、実施例のアタッカでは、プレート３３の開放は一定時間経過するか又は３個の入賞口３４Ｌ、３４Ｃ、３４Ｒへの入賞球数の合計が一定値に達することにより終了するが、プレート３３の開放中にＶゾーンとなっている入賞口３４Ｌ、３４Ｃ又は３４Ｒに打球が入賞してＶ継続条件が達成された場合には、プレート３３を一旦閉じてから所定時間後に再び開くようにしており、その間の時間は例えば０．８秒に設定される。このため、判定回路４３から出力されるＶ継続のためのアタッカ開成信号を同じ時間（例えば０．８秒）遅延させてモータ駆動回路４６に送ることが必要であり、そのための手段として遅延回路４４を設けたものである。
　制御手段４０は上記のように構成されるが、その構成要素４１〜４６はマイクロプロセッサ（ＣＰＵ）として単一の集積回路（ＩＣ）にまとめることができ、上記の特定時間や他の時間はプログラムにより任意に設定することができる。」（第４頁左欄下段第１４行〜第５頁左欄上段第８行）、
　▽記載事項９：「通常の遊技状態では、可変表示器６はその表示を任意の表示パターンに固定しており、他方、変動入賞装置７はプレート３３が閉じて入賞口３４Ｌ、３４Ｃ及び３４Ｒを塞いでおり、遊技者に不利な状態となっている。
　この状態で、特定入賞口５Ｌ、５Ｒ及び５Ｃのいずれかに打球が入ると、・・・、７セグメント表示器２３Ｌ、２３Ｒ及び回転リール駆動部２６を始動させ、可変表示部６の表示窓に現われる数字や図柄が変化する・・・停止スイッチ１５が押された時・・・、或は・・・一定時間が経過した時、・・・いずれかの表示パターンに停止する。この停止時の表示態様が特定のパターンである場合には、そのパターンに応じて予め定めた時間だけアタッカを遊技者に有利な状態にするためのアタッカ開成信号が、・・・モータ駆動回路４６に送られ、モータ３７を駆動してプレート３３を第４図（Ｂ）のように開く、その結果、打球はアタッカの入賞口３４Ｌ、３４Ｃ、３４Ｒのいずれかに入賞することができ、」（第５頁左欄上段第１１行〜同頁右欄上段第１７行）、
　▽記載事項１０：「アタッカのランプ３６Ｌ、３６Ｃ、３６Ｒは、プレート３３が開いている間ランプ制御回路４２からの出力により、第６図に示すように所定の周期で点灯と消灯を繰り返すが、その点灯中は、対応する入賞口３４Ｌ、３４Ｃ又は３４ＲがＶゾーンとなっている。従って、いずれかのランプの点灯中に打球が対応する入賞口に入ると、判定回路４３はＶ継続のためのアタッカ開成信号を出力する。この信号は、遅延回路４４で所定時間遅延してモータ駆動回路４６に送られる。そのため、アタッカプレート３３は、開成状態から一旦閉成後再び開成状態となり、遊技者に有利な状態が継続することになる。
　上記の開成状態となったアタッカの３個の入賞口３４Ｌ、３４Ｃ、３４Ｒに合計で一定個数の打球が入賞し、カウンタ４５がカウントアツプした時は、カウンタ４５からのアタッカ閉成信号により、・・・、プレート３３を第４図（Ａ）の閉成状態に戻す。」（第５頁左欄下段第２行〜同頁右欄上段第１行）、
　▽記載事項１１：「実施例は、アタッカを所定の条件下で開成する動作の終了後再び該動作を行なうＶ継続条件を与えるため、アタッカ内の複数の入賞口を各々に対応するランプが点灯している時間だけＶゾーンに設定することにより、Ｖゾーンを変化させると共に、Ｖゾーンになっている入賞口の位置と時間を遊技者が認識できるようにしたものである。
　なお、上記実施例では、変動入賞装置の入賞口がＶゾーンとなっていることを示す表示器としてランプを用いているが、これに代えて７セグメントＬＥＤを使用してもよい。その場合は、ＬＥＤが特定の数字、例えば“７”を表示した時、対応する入賞口がＶゾーンとなるようにする。」（第５頁右欄下段第２〜１５行）、
　▽記載事項１２：「Ｖゾーン表示器としては、更に・・・種々の表示手段を用いることができる。
　まず、第７図に示すように、Ｖゾーンとする３つの特定入賞領域に対応する位置（例えば第４図のアタッカの場合、ランプ３６Ｌ、３６Ｃ及び３６Ｒの位置）に、それぞれ一対の色違い（例えば赤と青）のランプ５１ａ、５１ｂを配置し、アタッカが開成状態になったときは、２色のランプの一方（例えば赤ランプ５１ａ）を点灯し、各一対のランプに対応する特定入賞領域をＶゾーンとするときは、他方のランプ（例えば青ランプ５１ｂ）を点灯させる。
　そのため、・・・、第５図の表示手段４０において表示素子制御回路４２の代わりに、各ランプ５１ａ、５１ｂの表示を制御する一対の表示制御回路５２ａ、５２ｂを設ける。・・・。
　かくして、アタッカが開成状態になったときは赤ランプ５１ａが点灯し、各一対のランプに対応する特定入賞領域がＶゾーンとなったときは青ランプ５１ｂが点灯し、この点灯中にＶゾーンに打球が入賞した時は、入賞球検出器３５Ｌ、３５Ｃ又は３５Ｒからの検出信号と青ランプ表示制御回路５２ｂからの出力により、ＡＮＤ素子５３Ｌ、５３Ｃ又は５３Ｒが出力するので、、判定回路４３でＶ継続を判定することができる。
　また、Ｖゾーン表示器として使用されるランプやＬＥＤその他の表示素子は、円形やその他任意の形状に多数配置し、それらのうち特定の表示素子を点灯し、或はいくつかの表示素子で所定のパターンを表わすこと等により、Ｖゾーンを表示することもできる。」（第５頁右欄下段第１６行〜第６頁右欄上段第１３行）、
　▽記載事項１３：「第８図では、Ｖゾーン表示器として特定の絵柄を表わした表示板６１Ｌ、６１Ｃ及び６１Ｒを遊技盤面に出没自在に配置し、各表示板は通常は遊技盤面から引込んでいるが、対応する特定入賞領域をＶゾーンとするときは、遊技盤面に現われるようにする。
　そのため、・・・、第５図の・・・表示素子制御回路４２の代わりに、各モータ６２の駆動を制御するモータ駆動制御回路６４Ｌ、６４Ｃ及び６４Ｒを設け、これらの制御回路の出力を第５図の判定回路４３に入力するようにする。
　かくして、アタッカが開成状態で、特定入賞領域がＶゾーンとなったときは、対応する駆動制御回路６４Ｌ、６４Ｃ又は６４Ｒからの出力でモータ６２を駆動し、表示板６１Ｌ、６１Ｃ又は６１Ｒの絵柄を遊技盤面に表わすことにより、Ｖゾーンを表示する。そして、打球がＶゾーンに入賞した時は、入賞球検出器３５Ｌ、３５Ｃ又は３５Ｒからの検出信号とモータ駆動制御回路６４Ｌ、６４Ｃ又は６４Ｒからの出力により、判定回路４３でＶ継続を判定することができる。」（第６頁右欄上段第１４行〜同頁左欄下段第１７行）、
　▽記載事項１４：「図示の実施例について・・・、本発明はこれに限られるものではない。
　例えば、変動入賞装置を所定の条件下で開成する動作は、上記のようにプレートを開き続ける開放動作に限らず、所定時間開いたら次に閉じてまた開くという開閉繰返し動作であってもよい。
　また、Ｖゾーンとなる特定入賞領域は、変動入賞装置内に設けた入賞口に限らず、遊技盤面上の任意の入賞領域でよい。」（第６頁左欄下段第１８行〜同頁右欄下段第６行）、
　▽記載事項１５：「複数の特定入賞領域に対応した位置に表示器を配置し、変動入賞装置が開成状態となっているとき前記特定入賞領域のいずれかに対応する表示器が所定の表示動作をしている間に当該特定入賞領域に入賞することをＶ継続の条件としたので、遊技者にはＶ継続の状態が目で見てわかるようにすると共に、Ｖゾーンの位置が時間と共に変化するという新しい概念のＶ継続遊技を提供できる。また、表示器の表示態様により、遊技盤面上の既存の入賞領域を適宜Ｖゾーンに設定することができるので、」（第６頁右欄下段第１０〜２０行）、
との記載が認められ、
　また、上記摘記事項および第４、５図等より、遊技盤面上の複数の特定入賞領域に対応した位置に表示器を配置し、変動入賞装置が開成状態となっているとき、前記遊技盤面上に打ち出された遊技球が、前記複数の特定入賞領域のいずれかに対応する表示器が所定の表示動作をしていること（記載事項１）、変動入賞装置７の開口３２内の下部には、３つの入賞口３４Ｌ、３４Ｃ、３４Ｒが設けられ、その各々と対応する部位（この場合、各入賞口の真上）には、Ｖゾーンを表示するために所定時間作動する表示素子として、３個のランプ３６Ｌ、３６Ｃ、３６Ｒが配置されていること（記載事項６）、Ｖ継続条件を与えるため、アタッカ内の複数の入賞口を各々に対応するランプが点灯している時間だけＶゾーンに設定し、変動入賞装置の入賞口がＶゾーンとなっていることを示す表示器としてランプを用いているが、これに代えて７セグメントＬＥＤを使用してもよく、その場合は、ＬＥＤが特定の数字、例えば“７”を表示した時、対応する入賞口がＶゾーンとなるようにすること（記載事項１１）、Ｖゾーン表示器としては、種々の表示手段を用いることができ、Ｖゾーンとする３つの特定入賞領域に対応する位置（例えば第４図のアタッカの場合、ランプ３６Ｌ、３６Ｃ及び３６Ｒの位置）に、それぞれ一対の色違い（例えば赤と青）のランプ５１ａ、５１ｂを配置し、アタッカが開成状態になったときは、２色のランプの一方（例えば赤ランプ５１ａ）を点灯し、各一対のランプに対応する特定入賞領域をＶゾーンとするときは、他方のランプ（例えば青ランプ５１ｂ）を点灯させる。また、Ｖゾーン表示器として使用されるランプやＬＥＤその他の表示素子は、円形やその他任意の形状に多数配置し、それらのうち特定の表示素子を点灯し、或はいくつかの表示素子で所定のパターンを表わすこと等により、Ｖゾーンを表示することもできること（記載事項１２）、図示の実施例についてこれに限られるものではなく、Ｖゾーンとなる特定入賞領域は、変動入賞装置内に設けた入賞口に限らず、遊技盤面上の任意の入賞領域でよい。（記載事項１４）等から、３個のランプ３６Ｌ、３６Ｃ、３６Ｒの配置に代えて、その各々と対応する部位に７セグメントＬＥＤを使用することもでき、７セグメントＬＥＤは、「３個の入賞口３４Ｌ、３４Ｃ、３４Ｒに対応して設けられ、前記入賞口３４Ｌ、３４Ｃ、３４ＲがＶ継続条件を与えることを示すＶゾーン表示として特定の数字を表示する」ものと認められ、
　また、上記摘記事項および第５、６図等より、数字を可変表示する７セグメント発光ダイオード（ＬＥＤ）から成る表示器２３Ｌ、２３Ｒを配置していること（記載事項５）、変動入賞装置７は、制御手段４０によって制御され、この制御手段４０は、変動入賞装置７のランプ３６Ｌ、３６Ｃ、３６Ｒの点灯を制御する信号を出力する機能を有する。この制御手段４０は、アタッカのランプ３６Ｌ、３６Ｃ、３６Ｒを作動させるための表示指令信号とを出力する可変表示器制御部４１、表示指令信号に応じてアタッカのランプ３６Ｌ、３６Ｃ、３６Ｒをそれぞれ所定時間ずつ順次又はランダムに点灯させる表示素子制御回路４２等の構成要素から成ること（記載事項７）、表示素子制御回路４２は、例えば、３個のランプ３６Ｌ、３６Ｃ、３６Ｒに対し、それぞれ所定の周期（例えば３秒間）で順次点灯と消灯を繰り返す駆動信号を出力し、この場合、各ランプ３６Ｌ、３６Ｃ、３６Ｒの点灯時間は互いに重複しないように予め設定され（例えば１秒間ずつ）、その点灯時間中、対応する入賞口３４Ｌ、３４Ｃ、３４ＲはＶ継続条件を与えるＶゾーンとなっている。制御手段４０の構成要素４１〜４６はマイクロプロセッサ（ＣＰＵ）として単一の集積回路（ＩＣ）にまとめることができ、上記の特定時間や他の時間はプログラムにより任意に設定することができること（記載事項８）、入賞口がＶゾーンとなっていることを示す表示器としてランプを用いているが、これに代えて７セグメントＬＥＤを使用してもよい。その場合は、ＬＥＤが特定の数字、例えば“７”を表示した時、対応する入賞口がＶゾーンとなるようにすること（記載事項１１）、Ｖゾーン表示器としては、種々の表示手段を用いることができ、Ｖゾーンとする３つの特定入賞領域に対応する位置に、それぞれ一対の色違い（例えば赤と青）のランプ５１ａ、５１ｂを配置し、アタッカが開成状態になったときは、２色のランプの一方（例えば赤ランプ５１ａ）を点灯し、各一対のランプに対応する特定入賞領域をＶゾーンとするときは、他方のランプ（例えば青ランプ５１ｂ）を点灯させるため、表示素子制御回路４２の代わりに、各ランプ５１ａ、５１ｂの表示を制御する一対の表示制御回路５２ａ、５２ｂを設けること、また、Ｖゾーン表示器として使用されるランプやＬＥＤその他の表示素子は、円形やその他任意の形状に多数配置し、それらのうち特定の表示素子を点灯し、或はいくつかの表示素子で所定のパターンを表わすこと等により、Ｖゾーンを表示することもできること（記載事項１２）、Ｖゾーン表示器として特定の絵柄を表わした表示板６１Ｌ、６１Ｃ及び６１Ｒを遊技盤面に出没自在に配置し、各表示板は通常は遊技盤面から引込んでいるが、対応する特定入賞領域をＶゾーンとするときは、遊技盤面に現われるようにする。そのため、表示素子制御回路４２の代わりに、各モータ６２の駆動を制御するモータ駆動制御回路６４Ｌ、６４Ｃ及び６４Ｒを設けること（記載事項１３）、図示の実施例についてこれに限られるものではなく、Ｖゾーンとなる特定入賞領域は、変動入賞装置内に設けた入賞口に限らず、遊技盤面上の任意の入賞領域でよい。（記載事項１４）等から、パチンコ機ｌは、「７セグメントＬＥＤに対してＶゾーン表示の表示制御を行なう表示素子制御回路を有し、前記表示素子制御回路は、表示指令信号に応じて前記７セグメントＬＥＤのいずれかに静止状態の特定の数字を表示させるように制御する」ことができるものと認められる。
　これらの記載から、引用例１には、
　
　「打球が入賞してＶ継続条件を与える場合にはプレート３３を開成状態から一旦閉成後再び開成状態となる３個の入賞口３４Ｌ、３４Ｃ、３４Ｒと、
　前記３個の入賞口３４Ｌ、３４Ｃ、３４Ｒに対応して設けられ、前記入賞口３４Ｌ、３４Ｃ、３４ＲがＶ継続条件を与えることを示すＶゾーン表示として特定の数字を表示する７セグメントＬＥＤと、
　前記７セグメントＬＥＤに対して前記Ｖゾーン表示の表示制御を行なう表示素子制御回路とを有し、
　前記表示素子制御回路は、表示指令信号に応じて前記７セグメントＬＥＤのいずれかに静止状態の特定の数字を表示させるように制御するパチンコ機ｌ。」
　
との発明（以下「引用例１発明」という。）が開示されていると認めることができる。
　
３．対比
　そこで、本願発明と引用例１発明とを対比すると、引用例１発明の「打球」、「入賞して」、「Ｖ継続条件を与える場合には」、「プレート３３を開成状態から一旦閉成後再び開成状態となる」、「３個の入賞口３４Ｌ、３４Ｃ、３４Ｒ」、「Ｖゾーン表示」、「特定の数字を表示する」、「７セグメントＬＥＤ」、「表示素子制御回路」、「静止状態」および「パチンコ機ｌ」は、本願発明における「遊技媒体」、「はいったときに」、「特定の入賞条件を満たすときに」、「特定の入賞状態とする」、「複数の入賞部」、「特定表示」、「図柄の表示を行なう」、「特定表示部」、「特定表示制御部」、「停止状態」および「パチンコゲーム機」に相当すると認められる。また、引用例１発明の「表示素子制御回路は、表示指令信号に応じて７セグメントＬＥＤのいずれかに静止状態の特定の数字を表示させるように制御する」と、本願発明の「前記特定表示制御部は、動作開始信号があると前記特定表示部の各々に図柄を回転表示し、動作停止信号があると停止状態の図柄を表示させるように制御する」は、「特定表示制御部は、特定の表示条件で特定表示部に図柄を表示させるように制御する」で共通する。したがって、両者は、
　
　「遊技媒体がはいったときに特定の入賞条件を満たすときに特定の入賞状態とする複数の入賞部と、
　前記複数の入賞部に対応して設けられ、前記入賞部が特定の入賞条件を満たすことを示す特定表示として図柄の表示を行なう特定表示部と、
　前記特定表示部に対して前記特定表示の表示制御を行なう特定表示制御部とを有し、
　前記特定表示制御部は、特定の表示条件で特定表示部に図柄を表示させるように制御するパチンコゲーム機。」
　
である点で一致し、以下の点で相違している。
　
　相違点：特定表示制御部が、特定表示部に図柄を表示させるように制御するための特定の表示条件において、本願発明では、「動作開始信号があると特定表示部の各々に図柄を回転表示し、動作停止信号があると停止状態の図柄を表示させるように制御」しているのに対し、引用例１発明では、「表示指令信号に応じて７セグメントＬＥＤのいずれかに静止状態の特定の数字を表示させるように制御」しており、７セグメントＬＥＤが回転表示するものなのかも明らかでなく、本願発明のような構成となっていない点。
　
４．判断
　上記相違点について検討すると、引用例１には、数字を可変表示する７セグメント発光ダイオード（ＬＥＤ）から成る表示器２３Ｌ、２３Ｒ（記載事項５）が記載されており、表示素子としてのランプに代えて７セグメントＬＥＤを使用する（記載事項１１）場合は、飽きの来ないＶ継続遊技を与えるために表示器２３Ｌ、２３Ｒと同じようなＬＥＤを使用することは技術常識である。さらに、遊技機分野において、一般的に、複数の７セグメントＬＥＤを有する可変表示装置の表示制御手段が、動作開始信号があると７セグメントＬＥＤの各々に数字等の図柄を回転表示し、動作停止信号があると停止状態の図柄を順次表示させるように制御することは、例えば、特開昭６１−２０９６７９号公報、特開昭６２−６０５７７号公報、特開平４−２８２１７３号公報に記載されるように従来周知の技術であり、引用例１発明の「表示素子制御回路は、表示指令信号に応じて７セグメントＬＥＤのいずれかに静止状態の特定の数字を表示させるように制御する」構成に代えて、前記周知の技術を採用して、本願発明の前記相違点に係る構成とすることは当業者が必要に応じて適宜なし得る程度の設計的事項である。なお、前記周知の技術の採用にあたり、本願発明は、特定表示部の各々に動作停止信号があると停止状態の図柄を表示させているのに対して、前記周知の技術は、７セグメントＬＥＤの各々に動作停止信号があると停止状態の図柄等を順次表示させているが、本願発明の「停止状態の図柄を表示させる」ことにおいて、動作停止信号があると、停止状態の図柄を動作停止信号と同時に一斉に表示するのか、信号があると少し遅れて順次表示するのか等の限定がされていないことから、本願発明の「（Ａ）図柄を表示させる」と前記周知の技術の「（Ｂ）図柄を順次表示させる」は、（Ａ）⊇（Ｂ）の関係にあり、（Ａ）は（Ｂ）を包含するものである。すなわち、（Ａ）は（Ｂ）の上位概念の表現と認められる。そして、図柄を表示させることについて上位概念の表現とした点に格別の技術的創意工夫を要したともいえない。
　また、審判請求書の請求の理由において、
　「（４）本願発明と引用文献１に記載の発明との対比
　１）本願発明と引用文献１に記載の発明とは、本願発明の構成Ａにおける「複数の入賞部」が、引用文献１に記載された「入賞口３４Ｌ，３４Ｃ，３４Ｒ」に相当し得る点では一致していますが、以下の構成において相違しています。
　２）先ず、審査官殿は、本願発明の「特定表示部」が、引用文献１に記載された「７セグメントＬＥＤ」に相当するとご指摘しておりますが、該７セグメントＬＥＤを含む可変表示装置６は、明らかに本願発明の請求項４における「表示部」に相当するものであり、「７セグメントＬＥＤ」が相当する構成は、本願明細書中における段落００１７に記載してある表示部１００を構成する左右の表示部１０１，１０３に相当することは疑いようもございません。従って、表示部とは全く別の構成である「特定表示部」が、表示部に相当する可変表示装置６の一部である「７セグメントＬＥＤ」に相当することはあり得ません。
　３）次に、本願発明の「特定表示部」を、引用文献１に記載された「ランプ３６Ｌ，３６Ｃ，３６Ｒ」あるいは「表示板６１Ｌ，６１Ｃ，６１Ｒ」と比較したとしても、両者は単に前記複数の入賞部に対応して設けられている点で共通しているに過ぎず、前記表示部（可変表示装置６）と同等に複数種類の図柄を回転表示させる「特定表示部」は、単なる点灯・消灯のみ可能な「ランプ３６Ｌ，３６Ｃ，３６Ｒ」、および表示内容は一切変化することなく出没するだけの「表示板６１Ｌ，６１Ｃ，６１Ｒ」とは、目的および構成が全く異なります。すなわち、引用文献１に記載の発明は、本願発明の構成Ｂ，Ｃ，Ｄを有さず、本願発明の作用効果ａ，ｂ，ｃを何れも奏することはあり得ません。」と主張している。
　これについて検討すると、審査官が認定する「特定表示部に相当する７セグメントＬＥＤ」は、数字を可変表示する７セグメント発光ダイオード（ＬＥＤ）から成る表示器２３Ｌ、２３Ｒではなく、引用文献１の第５頁右欄下段第１０〜１５行記載の「変動入賞装置の入賞口がＶゾーンとなっていることを示す表示器としてランプを用いているが、これに代えて７セグメントＬＥＤを使用してもよい。その場合は、ＬＥＤが特定の数字、例えば“７”を表示した時、対応する入賞口がＶゾーンとなるようにする。」（第５頁右欄下段第２〜１５行）等から、ランプ３６Ｌ，３６Ｃ，３６Ｒに代えて、それらに対応する７セグメントＬＥＤとして認定したものである。
　したがって、この項の冒頭で検討したように、引用例１発明に前記周知の技術を採用して、本願発明の前記相違点に係る構成とすることは当業者が必要に応じて適宜なし得る程度の設計的事項である。
　
　そして、本願発明が上記構成を採ることによりもたらされる効果は、引用例１発明および前記周知の技術から当業者が予測できる範囲内のものであって格別のものとは認められない。
　
５．むすび
　以上のとおりであるから、本願発明は、引用例１発明および前記周知の技術に基づいて、当業者が容易に発明できたものであり、本願は、本願の他の請求項について検討するまでもなく、特許法第２９条第２項の規定により特許を受けることができず、拒絶されるべきものである。
　
　よって、結論のとおり審決する。